(57)【要約】【課題】非飲用水と飲用水とを使用者に供給することが可能な浄水器であって、使用者が非飲用水を飲用水と誤認して使用することが防止された浄水器を提供する。【解決手段】浄水器１００は、流路１１０と流量センサ１２１と流路切換部２０と流路位置センサ３２とオゾン発生器４０とスイッチ１３２と操作パネル３１と制御部１３１とを備えている。制御部１３１が、流量センサ１２１の検知に基づいて主通水路１０１に水が流通していることを判断し、流路位置センサ３２の検知に基づいて主通水路１０１からオゾン水側流路１０２に水の流れを流路切換部２０が切り換えていることを判断し、且つ、操作パネル３１の操作に基づいてスイッチ１３２がＯＮに切り換えられていることを判断する場合には、オゾン発生器４０はオゾンを発生させる。【選択図】図１
2012071260.tif 000002
【特許請求の範囲】
【請求項１】
原水が流通する主通水路と、前記主通水路から互いに分岐された非飲用水が流通する非飲用水側流路と飲用水が流通する飲用水側流路と、を少なくとも有する流路と、
前記流路に配置され、前記流路での水の流通を検知する流量センサと、
前記主通水路から少なくとも前記非飲用水側流路と前記飲用水側流路とのいずれか一方に水が流通するように、前記流路での水の流れを切り換える流路切換部と、
前記主通水路を流通する水の流れを前記非飲用水側流路と前記飲用水側流路とのいずれに前記流路切換部が切り換えているかを検知する流路位置センサと、
前記非飲用水側流路に接続され、前記非飲用水側流路を流れる水に非飲用物質を混合させる混合器と、
前記非飲用水側流路を流れる水に前記混合器が前記非飲用物質を混合させることが可能なＯＮ状態と不可能なＯＦＦ状態との切り換えが操作される操作部と、
前記操作部に接続され、前記操作部の操作に基づいて前記ＯＮ状態と前記ＯＦＦ状態とを切り換えるスイッチと、
前記流量センサと前記流路位置センサと前記スイッチと前記混合器とに接続された制御部と、を備え、
前記制御部が、前記流量センサの検知に基づいて前記流路に水が流通していることを判断する場合、前記流量位置センサの検知に基づいて前記主通水路から前記非飲用水側流路に水の流れを前記流路切換部が切り換えていることを判断する場合、且つ、前記操作部の操作に基づいて前記スイッチが前記ＯＮ状態に切り換えられていることを判断する場合には、前記混合器が前記非飲用水側流路を流れる水に非飲用物質を混合させる、
浄水器。
【請求項２】
前記制御部が、前記流路での水の流通が停止されていることを判断する場合、前記主通水路から前記非飲用水側流路を除いた前記流路に水の流れを前記流路切換部が切り換えていることを判断する場合、または、前記スイッチが前記ＯＦＦ状態に切り換えられていることを判断する場合には、前記混合器は前記非飲用水側流路を流れる水に非飲用物質を混合させることを停止する、
請求項１に記載の浄水器。
【請求項３】
前記飲用水側流路に配置されたフィルタと、
前記非飲用水側流路と前記飲用水側流路との間に配置された接続路と、を備え、
前記非飲用水側流路を流れる水に非飲用物質が混合された水が前記接続路を介して前記フィルタを通過することにより、前記フィルタを洗浄する、
請求項１または請求項２に記載の浄水器。
【請求項４】
前記非飲用物質はオゾンであり、
前記混合器はオゾンを発生させるオゾン発生器である、
請求項１から請求項３までのいずれか１項に記載の浄水器。
【発明の詳細な説明】
【技術分野】
【０００１】
この発明は、一般的には浄水器に関し、特定的には非飲用水と飲用水とを供給することが可能な浄水器に関する。
【背景技術】
【０００２】
電気分解整水器等の浄水器に関し、実開平５−２２０９３号公報（以下、特許文献１という）に記載された電気分解整水器が知られている。特許文献１に記載された電気分解整水器は、複数の流路と、流路を切り換えるための流路切換装置とを備えている。流路切換装置は流路に取り付けられている。
【０００３】
特許文献１に記載された電気分解整水器では、流路切換装置の切換動作に連動して、電気分解整水器の電気的作動が切り換えられる。これにより、特許文献１に記載された電気分解整水器の操作性が向上されている。
【先行技術文献】
【特許文献】
【０００４】
【特許文献１】実開平５−２２０９３号公報
【発明の概要】
【発明が解決しようとする課題】
【０００５】
特許文献１に記載された電気分解整水器では、流路切換装置は、回転ハンドルが使用者に操作されることによって切り換えられる。この回転ハンドルは、筒状ケーシングの外部に配置されている。
【０００６】
特許文献１に記載された電気分解整水器では、例えば、使用者が希望する類の水を使用する場合に、他の類の水が供給される位置に回転ハンドルが誤って操作されているときには、使用者が希望する類の水とは異なる類の水が電気分解整水器から供給される。すなわち、特許文献１に記載された電気分解整水器では、電気分解整水器から供給される水と、使用者の希望する類の水とが異なっている場合に、電気分解整水器から供給された水を使用者がそのまま使用する可能性がある。
【０００７】
例えば、飲用水としては好ましくない類の水と飲用水とを使用者が間違え、飲用水として好ましくない類の水を使用者がそのまま飲用するような事態は避けなければならない。飲用水として好ましくない類の水の例は、特にオゾンを含んだ水である。オゾンを含んだ水は、除菌または脱臭作用を有し、食品もしくは食器の洗浄または手洗い等に利用される。オゾンを含んだ水のうち、水中のオゾン濃度が高いものは、除菌または脱臭の効果がより高い。日本国内においては水中のオゾン濃度は特に規定されていないが、大気中のオゾンガス濃度としての許容濃度が０．１ｐｐｍと規定されている。そのため、オゾン水が使用される際に大気中に拡散されるオゾンガス濃度が０．１ｐｐｍを超えないように、オゾン水の濃度が調整される必要がある。しかし、オゾンが水に十分に溶けている場合は、大気中に拡散されるオゾンが少なくなるため、大気中のオゾンガス濃度が０．１ｐｐｍ以下であっても水中のオゾン濃度は高くなり、飲用としては適さなくなる。
【０００８】
そこで、この発明の目的は、非飲用水と飲用水とを使用者に供給することが可能な浄水器であって、使用者が非飲用水を飲用水と誤認して使用することが防止された浄水器を提供することである。
【課題を解決するための手段】
【０００９】
この発明に従った浄水器は、流路と流量センサと流路切換部と流路位置センサと混合器と操作部とスイッチと制御部とを備えている。流路は、主通水路と非飲用水側流路と飲用水側流路とを少なくとも有している。主通水路には原水が流通する。非飲用水側流路と飲用水側流路とは、主通水路から互いに分岐されている。非飲用水側流路には、非飲用水が流通する。飲用水側流路には、飲用水が流通する。流量センサは、流路に配置され、流路での水の流通を検知する。流路切換部は、主通水路から少なくとも非飲用水側流路と飲用水側流路とのいずれか一方に水が流通するように、流路での水の流れを切り換える。流路位置センサは、主通水路を流通する水の流れを非飲用水側流路と飲用水側流路とのいずれに流路切換部が切り換えているかを検知する。混合器は、非飲用水側流路に接続されている。また、混合器は、非飲用水側流路を流れる水に非飲用物質を混合させる。操作部は、非飲用水側流路を流れる水に混合器が非飲用物質を混合させることが可能なＯＮ状態と不可能なＯＦＦ状態との切り換えが操作される。スイッチは、操作部に接続され、操作部の操作に基づいてＯＮ状態とＯＦＦ状態とが切り換えられる。制御部は、流量センサと流路位置センサとスイッチと混合器とに接続されている。
【００１０】
この発明に従った浄水器では、制御部が、流量センサの検知に基づいて流路に水が流通していることを判断する場合、流量位置センサの検知に基づいて主通水路から非飲用水側流路に水の流れを流路切換部が切り換えていることを判断する場合、且つ、操作部の操作に基づいてスイッチがＯＮ状態に切り換えられていることを判断する場合には、混合器は非飲用水側流路を流れる水に非飲用物質を混合させる。
【００１１】
この発明によれば、混合器が非飲用水側流路を流れる水に非飲用物質を混合させる場合には、流路に水が流通していることと、主通水路から非飲用水側流路に水の流れを流路切換部が切り換えていることと、且つ、スイッチがＯＮ状態に切り換えられていることとの少なくとも三つの条件が課せられている。すなわち、これら少なくとも三つの条件が満たされることにより、混合器が非飲用水側流路を流れる水に非飲用物質を混合させることが可能になる。このように、三つの条件が満たされることにより、非飲用水側流路を流通する水に非飲用物質が混合される。これにより、この発明に従った浄水器は、非飲用物質を含む水を供給することができる。
【００１２】
一方、制御部が、流路に水が流通していないことを判断する場合、主通水路から非飲用水側流路を除いた流路に水の流れを流路切換部が切り換えていることを判断する場合、または、スイッチがＯＦＦ状態に切り換えられていることを判断する場合には、混合器は非飲用水側流路を流れる水に非飲用物質を混合させない。
【００１３】
このように、この発明に従った浄水器では、流路に水が流通していない場合に使用者が操作部を操作すること、または、使用者が意図した流路に水の流れが切り換えられていない場合に使用者が操作部を操作すること、といった使用者が操作部を誤って操作することが防止されている。そのため、この発明に従った浄水器では、当該浄水器から供給される水と、使用者の希望する類の水とが異なっている場合に、当該浄水器から供給される水を使用者がそのまま使用することが予防されている。すなわち、この発明に従った浄水器では、使用者が非飲用水としての非飲用物質が含まれた水を飲用水と誤認して使用することが防止されている。
【００１４】
この発明に従った浄水器では、制御部が、流路での水の流通が停止されていることを判断する場合、主通水路から非飲用水側流路を除いた流路に水の流れを流路切換部が切り換えていることを判断する場合、または、スイッチがＯＦＦ状態に切り換えられていることを判断する場合には、混合器は非飲用水側流路を流れる水に非飲用物質を混合させることを停止することが好ましい。
【００１５】
この構成によれば、一旦満足された三つの条件のうちの一つが満たされなくなった場合には、混合器は非飲用物質の混合を停止することができる。そのため、この発明に従った浄水器では、当該浄水器から供給される水と、使用者の希望する類の水とが異なっている場合に、当該浄水器から供給される水を使用者がそのまま使用することが予防されている。
【００１６】
この発明に従った浄水器は、飲用水側流路に配置されたフィルタと、非飲用水側流路と飲用水側流路との間に配置された接続路とを備えていることが好ましい。また、この発明に従った浄水器は、非飲用水側流路を流れる水に非飲用物質が混合された水が接続路を介してフィルタを通過することにより、フィルタを洗浄することが好ましい。
【００１７】
このように、非飲用水側流路を流れる水にフィルタの洗浄に対して有用な物質を混合させることにより、フィルタを効果的に洗浄することができる。また、上述のように、この発明に従った浄水器では、当該浄水器から供給される水と、使用者の希望する類の水とが異なっている場合に、当該浄水器から供給される水を使用者がそのまま使用することが予防されている。言い換えると、フィルタを洗浄する際に利用される水は、使用者が使用することを意図していない類の水である。このように、この発明に従った浄水器では、フィルタを洗浄した際に当該浄水器から排出される排水を使用者が使用することが防止されている。
【００１８】
この発明に従った浄水器では、非飲用物質はオゾンであり、且つ、混合器はオゾンを発生させるオゾン発生器であることが好ましい。
【００１９】
このように、非飲用水側流路を流れる水にオゾンが混合されることにより、使用者は、オゾンが含まれた水を効果的に適宜利用することができる。また、オゾンが混合された水によってフィルタを効果的に洗浄することができる。
【発明の効果】
【００２０】
以上のように、この発明によれば、非飲用水と飲用水とを使用者に供給することが可能な浄水器であって、使用者が非飲用水を飲用水と誤認して使用することが防止された浄水器を提供することができる。
【図面の簡単な説明】
【００２１】
【図１】本発明の第１実施形態に係る浄水器の全体を示すブロック図である。
【図２】本発明の第１実施形態に係る浄水器の操作パネルを模式的に示す図である。
【図３】本発明の第１実施形態に係る浄水器の制御処理を順に示すフローチャートである。
【図４】本発明の第１実施形態に係る浄水器の制御処理を順に示すフローチャートである。
【図５】本発明の第１実施形態に係る浄水器の制御処理を順に示すフローチャートである。
【図６】本発明の第２実施形態に係る浄水器の全体を示すブロック図である。
【図７】本発明の第３実施形態に係る浄水器の全体を示すブロック図である。
【図８】本発明の第３実施形態に係る浄水器の操作パネルを模式的に示す図である。
【図９】本発明の第３実施形態に係る浄水器の制御部の制御処理を順に示すフローチャートである。
【発明を実施するための形態】
【００２２】
以下、この発明の実施の形態を図面に基づいて説明する。なお、以下の実施形態では、非飲用水としてオゾンを含んだ水（以下ではオゾン水という）を供給することが可能な浄水器について説明している。ただし、非飲用水の例はオゾン水に限定されず、且つ、非飲用物質の例はオゾンに限定されない。非飲用水に含まれる非飲用物質は、浄水器が供給する水に積極的に混入されることにより、非飲用水であるにもかかわらず、その物質が混入された水を使用者が使用する際には有用な物質である。非飲用物質の態様は、特に限定されず、気体、液体、または固体である。例えば、洗剤を混合する混合器としての洗剤混合器を浄水器が備え、浄水器は、洗剤混合器にて洗剤が混合された水を供給していてもよい。
【００２３】
さらに、非飲用水の他の例として、非飲用水は銀イオン水であってもよい。銀イオン水は殺菌または抗菌作用を有している。浄水器の使用者は、銀イオン水で台所用品を洗う場合は、殺菌または抗菌効果が得られる。しかし、米国のＥＰＡの基準では、飲用水の銀イオン濃度に関して、０．１ｍｇ／Ｌ以下という基準が定められている。殺菌または抗菌効果については、銀イオン濃度が０．１ｍｇ／Ｌ以下であっても効果を得ることができる。銀イオン水の濃度が高いほど、高い殺菌または抗菌の効果を得ることができる。そのため、有機物等の不純物が多いものを洗う場合には、高い濃度の銀イオン水が必要である。台所用品を洗う場合等に利用される浄水器では、例えば０．５ｍｇ／Ｌ程度の銀イオン水が非飲用水として利用されていてもよい。さらに、台所用品を洗浄する場合等に利用される浄水器では、食塩水を電気分解して得られるｐＨ２〜３の酸性水（例えば、濃度が４０−６０ｐｐｍである次亜塩素酸水）が利用されていてもよい。
【００２４】
（第１実施形態）
図１に示すように、第１実施形態の浄水器１００は、流路１１０と、プレフィルタ１１１と、活性炭１１２と、流量センサ１２１と、制御部１３１とを備えている。制御部１３１は、マイクロコンピュータの一部である。
【００２５】
流路１１０は、水を流通させるものである。流路１１０は、主通水路１０１と飲用水側流路１０３とオゾン水側流路１０２とを有している。主通水路１０１は、原水を流通させるためのものである。主通水路１０１には、水道水、井戸水、または河川水等の原水が浄水器１００の外部から供給される。
【００２６】
非飲用水側流路としてのオゾン水側流路１０２と、飲用水側流路１０３とは、主通水路１０１から互いに分岐されている。流路１１０のうちの活性炭１１２と中空糸フィルタ１１４との間には、流路切換弁９２が配置されている。流路切換弁９２は、例えば電磁式の三方向弁で構成されている。流路切換弁９２には、流路切換レバー２１が接続されている。流路切換レバー２１は浄水器１００の使用者に操作され、流路切換レバー２１の操作に基づいて流路切換弁９２が作動する。流路切換弁９２が作動することにより、主通水路１０１から飲用水側流路１０３とオゾン水側流路１０２とのいずれか一方に水が流れるように、流路１１０での水の流れが切り換えられる。
【００２７】
浄水器１００では、少なくとも流路切換レバー２１と流路切換弁９２とによって流路切換部２０が構成されている。なお、流路切換部２０には、流路切換レバー２１の代わりに、流路切換弁９２の開閉等を切り換えるためのプッシュ式等のスイッチが用いられていてもよい。
【００２８】
プレフィルタ１１１と活性炭１１２と流量センサ１２１とは、主通水路１０１に配置されている。プレフィルタ１１１は、比較的、目の粗い不織布によって構成されている。原水に含まれる比較的大きな不純物は、原水がプレフィルタ１１１を通過するときに取り除かれ、これによって原水が濾過される。活性炭１１２は、水中の有機物を吸着して水から除去する。活性炭１１２を通過した水が中空糸フィルタ１１４を通過することにより、水に含まれる細かい不純物が中空糸フィルタ１１４に付着する。なお、中空糸フィルタ１１４は、比較的、目の細かい不織布によって構成されたマイクロフィルタであってもよい。
【００２９】
流路１１０を流れる水の流れ方向に関して、流量センサ１２１の上流側には逆止弁９１が配置されている。原水は、流路１１０において、プレフィルタ１１１、活性炭１１２、中空糸フィルタ１１４を順に通過することによって浄化される。浄化された浄水は、飲用水として浄水器１００の外部に供給される。
【００３０】
流量センサ１２１は、プレフィルタ１１１を通過する水の瞬時流量を計測している。また、流量センサ１２１は、計測した水の瞬時流量に基づく信号を制御部１３１に送信する。なお、流量センサ１２１は、流路１１０のうちのオゾン水側流路１０２に配置されていてもよい。つまり、流量センサ１２１は、オゾン水側流路１０２に流れている水の瞬時流量を計測し、計測した水の瞬時流量に基づく信号を制御部１３１に送信するものであってもよい。
【００３１】
浄水器１００は、流路位置センサ３２を備えている。流路位置センサ３２は、主通水路１０１を流通する水の流れをオゾン水側流路１０２と飲用水側流路１０３とのいずれに流路切換部２０が切り換えているかを検知する。浄水器１００では、例えば流路切換レバー２１のレバーの状態または位置を検知することにより、オゾン水側流路１０２と飲用水側流路１０３とのいずれに主通水路１０１を流通する水の流れが切り換えられているかを検知する。なお、流路位置センサ３２は、流路切換弁９２に接続され、流路切換弁９２の状態または位置を検知するものであってもよい。
【００３２】
浄水器１００は、混合器としてのオゾン発生器４０を備えている。オゾン発生器４０は、オゾンを発生させる。オゾン発生器４０は、オゾン水側流路１０２に接続されている。オゾン発生器４０とオゾン水側流路１０２との間には、逆止弁９３が配置されている。逆止弁９３は、オゾン発生器４０からオゾン水側流路１０２へ導入されるオゾンの流れを許容している。ただし、混合器は、非飲用水側流路に接続され、且つ、非飲用水側流路を流れる水に非飲用物質を混合させるものであればよい。
【００３３】
浄水器１００は、操作パネル３１を備えている。操作パネル３１は、使用者が操作するボタンを有している。図２に示すように、操作パネル３１には、オゾン発生操作部４１と、フィルタ洗浄操作部５１とが設けられている。
【００３４】
また、図２に示すように、オゾン発生操作部４１とフィルタ洗浄操作部５１とには、それぞれスイッチ１３２とスイッチ１３３とが接続されている。スイッチ１３２とスイッチ１３３とは、オゾン発生器４０がオゾンを発生させることが可能なＯＮ状態と発生不可能なＯＦＦ状態とに、浄水器１００の状態を切り換える。オゾン発生操作部４１は、スイッチ１３２のＯＮとＯＦＦとを操作するものである。フィルタ洗浄操作部５１は、スイッチ１３３のＯＮとＯＦＦとを操作するものである。
【００３５】
オゾン発生操作部４１とフィルタ洗浄操作部５１とは、例えばプッシュ式のボタンである。ただし、オゾン発生操作部４１とフィルタ洗浄操作部５１とは、プッシュ式のものに限定されず、スライド式のものであってもよい。
【００３６】
後述するように、操作パネル３１のうちのオゾン発生操作部４１が使用者に操作されることに基づき、浄水器１００はオゾンを含んだ水を供給する。また、フィルタ洗浄操作部５１が使用者に操作されることに基づいて、中空糸フィルタ１１４の洗浄が開始される。
【００３７】
図１に示すように、制御部１３１は、流量センサ１２１と流路位置センサ３２とスイッチ１３２とスイッチ１３３と操作パネル３１に接続されている。制御部１３１は、流量センサ１２１が検知する水の流れに基づき、流路１１０に水が流れているか否かを判断する。また、制御部１３１は、流路位置センサ３２が検知する流路切換部２０の作動に基づき、主通水路１０１からオゾン水側流路１０２に水の流れを流路切換部２０が切り換えているか否かを判断する。さらに、制御部１３１は、オゾン発生操作部４１の操作に基づいてスイッチ１３２もしくはスイッチ１３３がＯＮに切り換えられているか否かを判断する。
【００３８】
また、図示は省略するが、制御部１３１は、電磁弁９５，９６，９７，９８の開閉を制御している。なお、図１に示すように、流路切換弁９２は、使用者による操作パネル３１の操作に基づき、制御部１３１によって電子式に制御されるものであってもよい。この場合は、操作パネル３１には、例えば、オゾン水側流路１０２と飲用水側流路１０３とのいずれか一方に主通水路１０１を流通する水の流れを流路切換弁９２に切り換えさせるボタン等が配置されていてもよい。ただし、このボタン等は、操作パネル３１に配置されることに限定されない。
【００３９】
飲用水側流路１０３において流路切換弁９２と中空糸フィルタ１１４との間には、逆止弁９４が配置されている。逆止弁９４は、飲用水側流路１０３において流路切換弁９２から中空糸フィルタ１１４に向かう水の流れを許容している。
【００４０】
浄水器１００は、排水路１０５を備えている。排水路１０５は、後述するように、中空糸フィルタ１１４を通過した水を排出するためのものである。排水路１０５には、電磁弁９６が配置されている。電磁弁９６は、排水路１０５を通して、中空糸フィルタ１１４を洗浄した水を浄水器１００の外部に排出する排水と排水停止とを切り換えるためのものである。
【００４１】
飲用水側流路１０３において中空糸フィルタ１１４の下流には、電磁弁９８が配置されている。電磁弁９８は、中空糸フィルタ１１４を通過した浄水の浄水器１００の外部への供給と供給停止とを切り換えるためのものである。
【００４２】
浄水器１００は、オゾン水側流路１０２と飲用水側流路１０３との間に配置された接続路１０４を備えている。接続路１０４は、接続位置１４２において、オゾン水側流路１０２に接続されている。また、接続路１０４は、接続位置１４１において、飲用水側流路１０３に接続されている。これにより、オゾン水側流路１０２と飲用水側流路１０３とは、接続路１０４を介して互い接続されている。接続位置１４１は、オゾン水側流路１０２のうちのオゾン発生器４０が配置されている位置よりも下流側の位置である。接続位置１４２は、飲用水側流路１０３のうちの逆止弁９４と中空糸フィルタ１１４との間の位置である。
【００４３】
接続路１０４には、電磁弁９５が配置されている。電磁弁９５は、飲用水側流路１０３からオゾン水側流路１０２への、または、オゾン水側流路１０２から飲用水側流路１０３への、水の供給と供給停止とを切り換えるためのものである。
【００４４】
オゾン水側流路１０２には、電磁弁９７が配置されている。電磁弁９７は、オゾンを含んだ水の浄水器１００の外部への供給と供給停止とを切り換えるためのものである。電磁弁９７は、オゾン水側流路１０２のうちの接続位置１４２よりも下流側に配置されている。
【００４５】
以上のように構成された浄水器１００の流路１１０での水の流れについて説明する。浄水器１００の外部に浄水が供給されるときには、電磁弁９５と電磁弁９６とが閉じられ、電磁弁９７と電磁弁９８とが開かれている。
【００４６】
浄水器１００が浄水を供給するときには、流路切換弁９２は、主通水路１０１から飲用水側流路１０３に水が流通するように流路１１０での水の流れを切り換えている。主通水路１０１に配置された流量センサ１２１とプレフィルタ１１１と活性炭１１２とを通過した原水は、流路切換弁９２を介して飲用水側流路１０３に流入する。飲用水側流路１０３に流入した水は中空糸フィルタ１１４を通過することによって浄化され、電磁弁９８を介して浄水器１００の外部に浄水が供給される。
【００４７】
オゾンを含んだ水が供給されるときには、流路切換弁９２は、主通水路１０１からオゾン水側流路１０２に水が流通するように流路１１０での水の流れを切り換えている。流量センサ１２１とプレフィルタ１１１と活性炭１１２とを通過した原水は、流路切換弁９２を介してオゾン水側流路１０２に流入する。オゾン水側流路１０２に流入した水には、オゾン発生器４０がオゾンを発生させている場合にオゾンが混入される。これにより、オゾン水側流路１０２を流れる水にオゾンが混合される。オゾン水は、電磁弁９７を介して浄水器１００の外部に供給される。
【００４８】
なお、電磁弁９７と電磁弁９８とは、浄水器１００が通電されていない状態では開かれている。
【００４９】
以下では、浄水器１００がオゾン水を供給するときの制御について説明する。図３に示すように、ステップＳ１１では、浄水器１００は待機状態になっている。浄水器１００の待機状態では、電磁弁９５と電磁弁９６とが閉じられており、電磁弁９７と電磁弁９８とが開かれている（図１参照）。浄水器１００の待機状態とは、浄水器１００がオゾン水を供給することと、浄水器１００が中空糸フィルタ１１４を洗浄することとを待機した状態のことである。浄水器１００の待機状態では、オゾン発生器４０がオゾンを発生させることが不可能なＯＦＦ状態である。
【００５０】
続いて、ステップＳ１２において、浄水器１００の外部から原水が供給される。浄水器１００に原水が供給されるときは、流量センサ１２１が配置された主通水路１０１を原水が流通する。ステップＳ１３では、流量センサ１２１が流路１１０を流通する水の流れを検知するか否かが判断される。浄水器１００では、流量センサ１２１が主通水路１０１に配置されているため、ステップＳ１３において、流量センサ１２１が主通水路１０１を流通する水の流れを検知するか否かが判断される。
【００５１】
ステップＳ１３において、流量センサ１２１が流路１１０を流通する水の流れを検知する場合には、ステップＳ１４に進む。ステップＳ１３において、流量センサ１２１が流路１１０を流通する水の流れを検知しない場合には、ステップＳ１１に戻り、待機状態が継続される。
【００５２】
ステップＳ１４では、流路切換部２０の作動によって主通水路１０１からオゾン水側流路１０２に水が流通するように水の流れが切り換えられているか否かが判断される。流路切換部２０の作動は、流路位置センサ３２が検知している。ステップＳ１４において、主通水路１０１からオゾン水側流路１０２に水の流れを流路切換部２０が切り換えていることが判断される場合には、ステップＳ１５に進む。ステップＳ１４において、主通水路１０１からオゾン水側流路１０２に水の流れが切り換えられておらず、主通水路１０１から飲用水側流路１０３に水の流れが切り換えられていることが判断される場合には、ステップＳ１１に戻り、待機状態が継続される。
【００５３】
ステップＳ１５では、消灯していたオゾン水ランプ４２とフィルタ洗浄ランプ５２とが点滅を開始する。図２に示すように、オゾン水ランプ４２とフィルタ洗浄ランプ５２とは、操作パネル３１に配置されている。
【００５４】
ただし、操作パネル３１には、オゾン水ランプ４２とフィルタ洗浄ランプ５２とが配置されていなくてもよい。この場合には、ステップＳ１５において、オゾン発生操作部４１とフィルタ洗浄操作部５１とが点滅を開始することにしてもよい。また、ステップＳ１５において、オゾン発生操作部４１およびオゾン水ランプ４２と、フィルタ洗浄操作部５１およびフィルタ洗浄ランプ５２とが点滅することにしてもよい。例えばオゾン水ランプ４２とフィルタ洗浄ランプ５２とが点滅を開始することにより、オゾン水を供給することが可能であること、または、中空糸フィルタ１１４の洗浄を開始することが可能であることが使用者に報知される。
【００５５】
続いて、ステップＳ１６では、オゾン発生操作部４１が使用者に操作されることによってスイッチ１３２がＯＮに切り換えられているか否かが判断される。ステップＳ１６において、オゾン発生操作部４１が使用者に操作されることによってスイッチ１３２がＯＮに切り換えられていることが判断される場合には、ステップＳ１７（図４参照）に進む。ステップＳ１６において、スイッチ１３２がＯＮに切り換えられていないことが判断される場合には、ステップＳ２４に進む。
【００５６】
ステップＳ１７では、オゾン発生器４０の動作が開始され、これにより、オゾン発生器４０がオゾンを発生させる。発生したオゾンは、逆止弁９３を介してオゾン水側流路１０２を流れる水に混合される。
【００５７】
ステップＳ１８では、オゾン水ランプ４２が点滅から点灯に切り換えられる。ただし、操作パネル３１にオゾン水ランプ４２が配置されていない場合は、オゾン発生操作部４１が点滅から点灯に切り換えられることでもよい。さらに、オゾン発生操作部４１およびオゾン水ランプ４２が点滅から点灯に切り換えられることでもよい。
【００５８】
ステップＳ１９では、フィルタ洗浄ランプ５２が点滅から消灯に切り換えられる。なお、ステップＳ１７とステップＳ１８とステップＳ１９とは、それぞれ並行したステップであってもよい。
【００５９】
続いて、ステップＳ２０では、浄水器１００においてオゾン水供給の制御が実行される。オゾン水供給の制御では、例えば、オゾン発生器４０がオゾンを発生させ、オゾン水ランプ４２を点灯させ、フィルタ洗浄ランプ５２が消灯され、電磁弁９５，９６が閉塞され、且つ、電磁弁９７，９８が開放されるようにオゾン発生器４０と操作パネル３１等を制御部１３１が制御する。また、図示しないポンプを浄水器１００が備えている場合は、制御部１３１は、オゾン水側流路１０２に水が流れるようにポンプを制御していてもよい。
【００６０】
続いて、ステップＳ２１では、オゾン発生操作部４１が操作されることによってスイッチ１３２がＯＦＦに切り換えられているか否かが判断される。ステップＳ２１において、スイッチ１３２がＯＦＦに切り換えられていることが判断される場合には、ステップＳ２２に進む。ステップＳ２１において、スイッチ１３２がＯＦＦに切り換えられていないことが判断される場合には、ステップＳ２０に戻る。
【００６１】
ステップＳ２２では、オゾン発生器４０の動作が停止され、これにより、オゾン発生器４０はオゾンを発生させることを停止する。また、ステップＳ２３では、消灯していたフィルタ洗浄ランプ５２が点滅を開始し、且つ、点灯していたオゾン水ランプ４２が点滅を開始する。オゾン水ランプ４２とフィルタ洗浄ランプ５２とが点滅を再び開始することにより、オゾン水を再び供給することが可能であること、または、中空糸フィルタ１１４の洗浄を開始することが可能であることが使用者に報知される。ステップＳ２３に続いて、ステップＳ１６が再び実行される（図３参照）。なお、ステップＳ２３に続いて、ステップＳ１３が実行されることにしてもよい。
【００６２】
続いて、以下では、中空糸フィルタ１１４が洗浄されるときの制御について説明する。図３に示すように、ステップＳ２４では、フィルタ洗浄操作部５１が使用者に操作されることによってスイッチ１３３がＯＮに切り換えられているか否かが判断される。浄水器１００では、中空糸フィルタ１１４が洗浄されるときにはオゾン水が利用されている。
【００６３】
ステップＳ２４において、フィルタ洗浄操作部５１が操作されることによってスイッチ１３３がＯＮに切り換えられていることが判断される場合には、ステップＳ２５（図５参照）に進む。ステップＳ２４において、スイッチ１３３がＯＮに切り換えられていないことが判断される場合には、ステップＳ１６に戻る。
【００６４】
ステップＳ２５では、電磁弁９５と電磁弁９６とが開かれる。ステップＳ２６では、電磁弁９７と電磁弁９８とが閉じられる。ステップＳ２７では、オゾン発生器４０の動作が開始される。
【００６５】
ステップＳ２８では、フィルタ洗浄ランプ５２が点滅から点灯に切り換えられる。ただし、操作パネル３１にフィルタ洗浄ランプ５２が配置されていない場合は、フィルタ洗浄操作部５１が点滅から点灯に切り換えられることでもよい。さらに、フィルタ洗浄操作部５１およびフィルタ洗浄ランプ５２が点滅から点灯に切り換えられることでもよい。
【００６６】
ステップＳ２９では、オゾン水ランプ４２が点滅から消灯に切り換えられる。なお、ステップＳ２５〜ステップＳ２９は、それぞれ並行したステップであってもよい。
【００６７】
続いて、ステップＳ３０では、浄水器１００において中空糸フィルタ１１４を洗浄する制御が実行される。この制御では、例えば、オゾン発生器４０がオゾンを発生させ、オゾン水ランプ４２を消灯させ、フィルタ洗浄ランプ５２が点灯され、電磁弁９５，９６が開放され、且つ、電磁弁９７，９８が閉塞されるように、オゾン発生器４０と操作パネル３１等を制御部１３１が制御する。また、図示しないポンプを浄水器１００が備えている場合は、制御部１３１は、オゾン水側流路１０２から中空糸フィルタ１１４に向かって水が流れるようにポンプを制御していてもよい。
【００６８】
続いて、ステップＳ３１では、フィルタ洗浄操作部５１が操作されることによってスイッチ１３２がＯＦＦに切り換えられているか否かが判断される。ステップＳ３１において、スイッチ１３２がＯＦＦに切り換えられていることが判断される場合には、ステップＳ３２に進む。ステップＳ３１において、スイッチ１３２がＯＦＦに切り換えられていないことが判断される場合には、ステップＳ３０に戻る。
【００６９】
ステップＳ３２では、オゾン発生器４０の動作が停止され、これにより、オゾン発生器４０はオゾンを発生させることを停止する。また、ステップＳ３３では、電磁弁９５と電磁弁９６とが閉じられる。ステップＳ３４では、電磁弁９７と電磁弁９８とが開かれる。
【００７０】
ステップＳ３５では、消灯していたオゾン水ランプ４２が点滅を開始し、且つ、点灯していたフィルタ洗浄ランプ５２が点滅を開始する。オゾン水ランプ４２とフィルタ洗浄ランプ５２とが点滅を再び開始することにより、オゾン水を供給することが可能であること、または、中空糸フィルタ１１４の洗浄を再び開始することが可能であることが使用者に報知される。ステップＳ３５に続いて、ステップＳ１６が再び実行される（図３参照）。なお、ステップＳ３５に続いて、ステップＳ１３が実行されることにしてもよい。
【００７１】
なお、スイッチ１３２の切り換えの状態をオゾン水ランプ４２が表示するときは、スイッチ１３２の切り換えの状態に応じてオゾン水ランプ４２がそれぞれ異なる色で点灯または点滅することにしてもよい。また、スイッチ１３３の切り換えの状態をフィルタ洗浄ランプ５２が表示するときは、スイッチ１３３の切り換えの状態に応じてフィルタ洗浄ランプ５２がそれぞれ異なる色で点灯または点滅することにしてもよい。
【００７２】
以上のように、制御部１３１が、流路１１０に水が流通していることを判断し、主通水路１０１からオゾン水側流路１０２に水の流れを流路切換部２０が切り換えていることを判断し、且つ、オゾン発生操作部４１の操作に基づいてスイッチ１３２がＯＮに切り換えられていることを判断する場合には、オゾン発生器４０はオゾンを発生させる。
【００７３】
また、制御部１３１が、流路１１０での水の流通が停止されていることを判断し、主通水路１０１から飲用水側流路１０３に水の流れを流路切換部２０が切り換えていることを判断し、または、スイッチ１３２がＯＦＦに切り換えられていることを判断する場合には、オゾン発生器４０はオゾンの発生を停止する。
【００７４】
以下では、浄水器１００において中空糸フィルタ１１４が洗浄されるときの流路１１０での水の流れについて説明する。
【００７５】
浄水器１００が中空糸フィルタ１１４を洗浄するときには、流路切換弁９２は、主通水路１０１からオゾン水側流路１０２に水が流通するように水の流れを切り換えている。流量センサ１２１とプレフィルタ１１１と活性炭１１２とを通過した原水は、流路切換弁９２を介してオゾン水側流路１０２に流入する。オゾン水側流路１０２に流入した水には、オゾン発生器４０が発生させたオゾンが混入される。浄水器１００が中空糸フィルタ１１４を洗浄するときには、電磁弁９５が開かれている。そのため、オゾン水は、接続路１０４を介して中空糸フィルタ１１４に供給される。
【００７６】
浄水器１００が中空糸フィルタ１１４を洗浄するときには、電磁弁９６が開かれている。これにより、中空糸フィルタ１１４を通過したオゾン水は、排水路１０５を通して浄水器１００の外部に排出される。
【００７７】
なお、浄水器１００が中空糸フィルタ１１４を洗浄するときには、流路切換弁９２は、オゾン水側流路１０２から接続路１０４を介して中空糸フィルタ１１４に向かう水の流れに加えて、流路切換弁９２から中空糸フィルタ１１４に向かって水が流れるように作動していてもよい。
【００７８】
以上のように、浄水器１００は、流路１１０と流量センサ１２１と流路切換部２０と流路位置センサ３２とオゾン発生器４０とスイッチ１３２とスイッチ１３３とオゾン発生操作部４１とフィルタ洗浄操作部５１と制御部１３１とを備えている。流路１１０は、主通水路１０１とオゾン水側流路１０２と飲用水側流路１０３とを有している。主通水路１０１には原水が流通する。オゾン水側流路１０２と飲用水側流路１０３とは、主通水路１０１から互いに分岐されている。オゾン水側流路１０２には、オゾンを含んだ水が流通する。飲用水側流路１０３には、飲用水が流通する。流量センサ１２１は、主通水路１０１に配置され、主通水路１０１での水の流通を検知する。流路切換部２０は、主通水路１０１からオゾン水側流路１０２と飲用水側流路１０３とのいずれか一方に水が流通するように、流路１１０での水の流れを切り換える。流路位置センサ３２は、主通水路１０１を流通する水の流れをオゾン水側流路１０２と飲用水側流路１０３とのいずれに流路切換部２０が切り換えているかを検知する。オゾンを発生させるオゾン発生器４０は、オゾン水側流路１０２に接続されている。オゾン発生操作部４１とフィルタ洗浄操作部５１とは、オゾン水側流路１０２を流れる水にオゾン発生器４０がオゾンを混合させることが可能なＯＮ状態と不可能なＯＦＦ状態との切り換えが操作される。スイッチ１３２は、オゾン発生操作部４１に接続され、オゾン発生操作部４１の操作に基づいてＯＮ状態とＯＦＦ状態とが切り換えられる。一方、スイッチ１３３は、フィルタ洗浄操作部５１に接続され、フィルタ洗浄操作部５１の操作に基づいてＯＮ状態とＯＦＦ状態とが切り換えられる。制御部１３１は、流量センサ１２１と流路位置センサ３２とスイッチ１３２とスイッチ１３３とオゾン発生器４０とに接続されている。
【００７９】
浄水器１００では、制御部１３１が、流量センサ１２１の検知に基づいて主通水路１０１に水が流通していることを判断する場合、流路位置センサ３２の検知に基づいて主通水路１０１からオゾン水側流路１０２に水の流れを流路切換部２０が切り換えていることを判断する場合、且つ、オゾン発生操作部４１の操作に基づいてスイッチ１３２がＯＮに切り換えられていることを判断する場合には、オゾン発生器４０はオゾンを発生させる。
【００８０】
浄水器１００によれば、オゾン発生器４０がオゾンを発生させる場合には、主通水路１０１に水が流通していることと、主通水路１０１からオゾン水側流路１０２に水の流れを流路切換部２０が切り換えていることと、且つ、スイッチ１３２もしくはスイッチ１３３がＯＮに切り換えられていることとの少なくとも三つの条件が課せられている。すなわち、これら少なくとも三つの条件が満たされることにより、オゾン発生器４０がオゾンを発生させることが可能になる。三つの条件が満たされることによってオゾン発生器４０がオゾンを発生させる場合は、オゾン水側流路１０２を流通する水にオゾンが混合される。これにより、浄水器１００は、オゾン水を供給することができる。
【００８１】
一方、制御部１３１が、主通水路１０１に水が流通していないことを判断する場合、主通水路１０１から飲用水側流路１０３に水の流れを流路切換部２０が切り換えていることを判断する場合、または、スイッチ１３２およびスイッチ１３３がＯＦＦに切り換えられていることを判断する場合には、オゾン発生器４０はオゾンを発生させない。
【００８２】
このように、浄水器１００では、流路１１０に水が流通していない場合に使用者がオゾン発生操作部４１を操作すること、または、使用者が意図した流路１１０に水の流れが切り換えられていない場合に使用者がオゾン発生操作部４１を操作すること、といった使用者がオゾン発生操作部４１を誤って操作することが防止されている。そのため、浄水器１００では、浄水器１００から供給される水と、使用者の希望する類の水とが異なっている場合に、浄水器１００から供給される水を使用者がそのまま使用することが予防されている。すなわち、浄水器１００では、使用者が非飲用水としてのオゾン水を飲用水と誤認して使用することが防止されている。
【００８３】
また、浄水器１００では、制御部１３１が、主通水路１０１での水の流通が停止されていることを判断する場合、主通水路１０１から飲用水側流路１０３に水の流れを流路切換部２０が切り換えていることを判断する場合、または、スイッチ１３２およびスイッチ１３３がＯＦＦに切り換えられていることを判断する場合には、オゾン発生器４０はオゾンの発生を停止する。
【００８４】
この構成によれば、一旦満足された三つの条件のうちの一つが満たされなくなった場合には、オゾン発生器４０はオゾンの発生を停止することができる。そのため、浄水器１００では、浄水器１００から供給される水と、使用者の希望する類の水とが異なっている場合に、浄水器１００から供給される水を使用者がそのまま使用することが予防されている。
【００８５】
浄水器１００は、飲用水側流路１０３に配置された中空糸フィルタ１１４と、接続路１０４とを備えている。接続路１０４は、オゾン水側流路１０２と飲用水側流路１０３との間に配置されている。また、浄水器１００は、接続路１０４を介してオゾン水が中空糸フィルタ１１４を通過することにより、中空糸フィルタ１１４を洗浄する。
【００８６】
このように、オゾン水側流路１０２を流れる水に中空糸フィルタ１１４の洗浄に対して有用な物質を混合させることにより、中空糸フィルタ１１４を効果的に洗浄することができる。また、上述のように、浄水器１００では、浄水器１００から供給される水と、使用者の希望する類の水とが異なっている場合に、浄水器１００から供給される水を使用者がそのまま使用することが予防されている。言い換えると、中空糸フィルタ１１４を洗浄する際に利用される水は、使用者が使用することを意図していない類の水である。このように、浄水器１００では、中空糸フィルタ１１４を洗浄した際に浄水器１１４から排出される排水を使用者が使用することが防止されている。
【００８７】
浄水器１００では、非飲用物質はオゾンであり、且つ、混合器はオゾンを発生させるオゾン発生器４０である。
【００８８】
このように、非飲用水側流路としてのオゾン水側流路１０２を流れる水にオゾンが混合されることにより、使用者は、オゾンが含まれた水を効果的に適宜利用することができる。また、オゾンが混合された水によって中空糸フィルタ１１４を効果的に洗浄することができる。
【００８９】
以上のように、本実施形態によれば、非飲用水としてのオゾン水と飲用水とを使用者に供給することが可能な浄水器１００であって、使用者がオゾン水を飲用水と誤認して使用することが防止された浄水器１００を提供することができる。
【００９０】
（第２実施形態）
図６に示すように、第２実施形態の浄水器２００は、第１実施形態の浄水器１００と異なり、オゾン水を外部に供給するときの流路と浄水を外部に供給するときの流路とが一つに纏められている。
【００９１】
浄水路１０６は、接続位置１４３にてオゾン水側流路１０２と飲用水側流路１０３とに接続されている。接続位置１４３は、オゾン水側流路１０２のうちの電磁弁９８よりも下流側の位置、且つ、飲用水側流路１０３のうちの電磁弁９７よりも下流側の位置である。
【００９２】
浄水器２００の外部に浄水が供給されるときには、電磁弁９５と電磁弁９６と電磁弁９７とが閉じられ、電磁弁９８が開かれている。飲用水としての浄水は、電磁弁９８および浄水路１０６を介して浄水器２００の外部に供給される。
【００９３】
浄水器２００の外部にオゾン水が供給されるときには、電磁弁９５と電磁弁９６と電磁弁９８とが閉じられ、電磁弁９７が開かれている。オゾン水は、電磁弁９７および浄水路１０６を介して浄水器２００の外部に供給される。
【００９４】
なお、電磁弁９５と電磁弁９６と電磁弁９７と電磁弁９８とは、浄水器２００が通電されていない状態では閉じられている。
【００９５】
なお、第２実施形態の浄水器２００のその他の構成は、第１実施形態の浄水器１００と同様である。また、浄水器２００がオゾン水を供給するときの制御は、第１実施形態の浄水器１００の制御と同様である。さらに、浄水器２００において中空糸フィルタ１１４が洗浄されるときの水の流れは、第１実施形態の浄水器１００での水の流れと同様である。
【００９６】
（第３実施形態）
図７に示すように、第３実施形態の浄水器３００は、例えば、浄水モードと、オゾン水モードと、原水モードとを有している。浄水モードは、浄水器３００が外部に浄水を供給するモードである。オゾン水モードは、浄水器３００がオゾン水を供給するモードである。原水モードは、浄水器３００が原水を浄化せずにそのまま原水を外部に供給するモードである。浄水器３００では、例えば使用者による流路切換部３０または操作パネル６１（図８参照）の操作に基づき、浄水モードとオゾン水モードと原水モードとが選択される。また、浄水器３００は、使用者による操作パネル６１の操作に基づき、例えば、浄水器３００から供給される浄水の温度を選択するモードを有していてもよい。
【００９７】
浄水器３００は、流路切換部３０と、原水が流通する原水側流路１０７とを備えている。原水側流路１０７は、原水が流通する流路１１０のうち、流路切換部３０よりも下流側の部分をいう。原水側流路１０７は、主通水路１０１に接続されている。なお、図７での図示は省略するが、浄水器３００は、流路１１０に配置されたプレフィルタと活性炭とを備えている。
【００９８】
流路切換部３０は、主通水路１０１を流通する水を、オゾン水側流路１０２と飲用水側流路１０３と原水側流路１０７とのいずれか一方を流れるように切り換える。流路切換部３０は、使用者によって操作される。流路切換部３０は、流路切換レバー３８と流路切換弁３９とを有している。流路切換部３０が操作されることにより、主通水路１０１から飲用水側流路１０３とオゾン水側流路１０２と原水側流路１０７とのいずれかに水が流通するように水の流れが切り換えられる。流路切換レバー３８は浄水器３００の使用者に操作され、流路切換レバー３８の操作に基づいて流路切換弁３９の開閉等が作動する。流路切換弁３９の作動により、主通水路１０１から飲用水側流路１０３とオゾン水側流路１０２と原水側流路１０７とのいずれかを流通するように水の流れが切り換えられる。
【００９９】
浄水器３００は、流路位置センサ３３を備えている。流路位置センサ３３は、流路切換部３０がオゾン水側流路１０２と飲用水側流路１０３と原水側流路１０７とのいずれに流路１１０を流通する水の流れを切り換えているかを検知する。
【０１００】
浄水器３００は、操作パネル６１を備えている。操作パネル６１は、使用者が操作するスイッチまたはボタンを有している。図８に示すように、操作パネル６１には、オゾン発生操作部８１が設けられている。オゾン発生操作部８１には、スイッチ１３２が接続されている。
【０１０１】
図７に示すように、オゾン発生器４０は、オゾン水側流路１０２に接続されている。オゾン発生器４０とオゾン水側流路１０２との間には、逆止弁４３が配置されている。逆止弁４３は、オゾン発生器４０からオゾン水側流路１０２へ導入されるオゾンの流れを許容している。
【０１０２】
オゾン発生操作部８１は、例えばプッシュ式のボタンである。ボタンとしてのオゾン発生操作部８１が押された場合には、スイッチ１３２がＯＮされ、オゾン発生器４０がＯＮ状態となる。ただし、オゾン発生操作部８１は、プッシュ式のものに限定されず、スライド式のものであってもよい。
【０１０３】
制御部１３１は、浄水器３００がオゾン水を浄水器３００の外部に供給するとき等に、操作パネル６１とオゾン発生器４０等を制御している。図８に示すように、制御部１３１は、流量センサ１２１と流路位置センサ３３とスイッチ１３２とオゾン発生器４０と操作パネル６１とに接続されている。なお、浄水器３００において、流量センサ１２１は、流路１１０のうちのオゾン水側流路１０２に配置されていてもよい。つまり、流量センサ１２１は、オゾン水側流路１０２に流れている水の瞬時流量を計測し、計測した水の瞬時流量に基づく信号を制御部１３１に送信するものであってもよい。
【０１０４】
以下では、浄水器３００がオゾン水を外部に供給するときの制御について説明する。図９は、浄水器３００がオゾン水を外部に供給するときの制御部１３１でのフローチャートである。図９に示すように、ステップＳ４１では、浄水器３００は待機状態になっている。浄水器３００の待機状態とは、浄水器３００がオゾン水を供給することを待機した状態のことである。浄水器３００の待機状態では、オゾン発生器４０がオゾンを発生させることが不可能なＯＦＦ状態である。
【０１０５】
続いて、ステップＳ４２では、流量センサ１２１が流路１１０を流通する水の流れを検知するか否かが判断される。
【０１０６】
ステップＳ４２において、流量センサ１２１が流路１１０を流通する水の流れを検知する場合には、ステップＳ４３に進む。ステップＳ４２において、流量センサ１２１が流路１１０を流通する水の流れを検知しない場合には、ステップＳ４１に戻り、待機状態が継続される。
【０１０７】
ステップＳ４３では、流路切換部３０の作動によって主通水路１０１からオゾン水側流路１０２と飲用水側流路１０３と原水側流路１０７とのいずれに水が流通するように水の流れが切り換えられているかが判断される。流路切換部３０の作動は、流路位置センサ３３が検知している。ステップＳ４３において、主通水路１０１からオゾン水側流路１０２に水が流通するように水の流れが切り換えられていることが判断される場合には、ステップＳ４４に進む。ステップＳ４３において、主通水路１０１からオゾン水側流路１０２に水が流通するように水の流れが切り換えられておらず、主通水路１０１から飲用水側流路１０３に水が流通するように水の流れが切り換えられていることが判断される場合には、ステップＳ４８に進む。また、ステップＳ４３において、主通水路１０１からオゾン水側流路１０２もしくは飲用水側流路１０３のいずれにも水が流通するように水の流れが切り換えられていないと判断される場合、または、主通水路１０１から原水側流路１０７に水が流通するように水の流れが切り換えられていることが判断される場合には、ステップＳ４９に進む。
【０１０８】
ステップＳ４４では、消灯または点灯していたオゾン水ランプ８２が点滅を開始する。図８に示すように、オゾン水ランプ８２は、操作パネル６１に配置されている。また、操作パネル６１には、浄水ランプ７２が配置されている。
【０１０９】
ただし、操作パネル６１には、オゾン水ランプ８２が配置されていなくてもよい。この場合には、ステップＳ４４において、オゾン発生操作部８１が点滅することにしてもよい。オゾン水ランプ８２またはオゾン発生操作部８１が点滅を開始することにより、オゾン水を供給することが可能であることが使用者に報知される。なお、ステップＳ４４では、浄水ランプ７２は消灯している。
【０１１０】
続いて、ステップＳ４５では、オゾン発生操作部８１が使用者に操作されることによってスイッチ１３２がＯＮに切り換えられているか否かが判断される。ステップＳ４５において、オゾン発生操作部８１が使用者に操作されることによってスイッチ１３２がＯＮに切り換えられていることが判断される場合には、ステップＳ４６に進む。ステップＳ４５において、スイッチ１３２がＯＮに切り換えられていないことが判断される場合には、ステップＳ４２に戻る。なお、ステップＳ４５において、スイッチ１３２がＯＮに切り換えられていないことが判断される場合には、ステップＳ４５が繰り返されることにしてもよい。
【０１１１】
ステップＳ４６では、オゾン発生器４０の動作が開始され、これにより、オゾン発生器４０がオゾンを発生させる。発生したオゾンは、逆止弁９３を介してオゾン水側流路１０２を流れる水に混合される（図７参照）。
【０１１２】
続いて、ステップＳ４７では、浄水器３００においてオゾン水供給の制御が実行される。オゾン水供給の制御では、例えば、オゾン発生器４０がオゾンを発生させ、且つ、オゾン水ランプ８２を点灯させるように、オゾン発生器４０と操作パネル６１を制御部１３１が制御する。また、図示しないポンプを浄水器３００が備えている場合は、制御部１３１は、オゾン水側流路１０２に水が流れるようにポンプを制御していてもよい。オゾン水供給の制御は、例えば、オゾン発生操作部８１が使用者に操作されることによってスイッチ１３２がＯＦＦに切り換えられたこと、主通水路１０１から飲用水側流路１０３もしくは原水側流路１０７に水が流通するように水の流れが切り換えられたこと、または、流量センサ１２１が流路１１０を流通する水の流れを検知しないことを制御部１３１が判断する場合に、終了される。
【０１１３】
ステップＳ４８では、消灯していた浄水ランプ７２が点灯する。浄水ランプ７２が点灯することにより、浄水器３００が外部に浄水を供給していることが使用者に報知される。なお、ステップＳ４８では、オゾン水ランプ８２は消灯している。
【０１１４】
ステップＳ４９では、オゾン水ランプ８２と浄水ランプ７２とが消灯する。これにより、浄水器３００が外部に原水を供給していることが使用者に報知される。
【０１１５】
ステップＳ４８に続いて、浄水ランプ７２は、例えば、主通水路１０１からオゾン水側流路１０２もしくは原水側流路１０７に水が流通するように水の流れが切り換えられたこと、または、流量センサ１２１が流路１１０を流通する水の流れを検知しないことを制御部１３１が判断する場合に、点灯から消灯に切り換えられる。
【０１１６】
なお、スイッチ１３２の切り換えの状態をオゾン水ランプ８２が表示するときは、スイッチ１３２の切り換えの状態に応じてそれぞれ異なる色でオゾン水ランプ８２が点灯または点滅することにしてもよい。また、浄水器３００が浄水を供給していることを浄水ランプ７２が表示する場合は、浄水器３００が浄水を供給しているときと浄水を供給していないときとで、それぞれ異なる色で浄水ランプ７２が点灯または点滅することにしてもよい。
【０１１７】
第３実施形態の浄水器３００のその他の構成は、第１実施形態の浄水器１００と同様である。
【０１１８】
以上のように、制御部１３１が、流路１１０に水が流通していることを判断する場合、主通水路１０１からオゾン水側流路１０２に水が流通するように水の流れを流路切換部３０が切り換えていることを判断する場合、且つ、オゾン発生操作部８１の操作に基づいてスイッチ１３２がＯＮに切り換えられていることを判断する場合には、オゾン発生器４０はオゾンを発生させる。
【０１１９】
また、制御部１３１が、流路１１０での水の流通が停止されていることを判断する場合、主通水路１０１からオゾン水側流路１０２を除いた流路１１０に水が流通するように水の流れを流路切換部３０が切り換えていることを判断する場合、または、スイッチ１３２がＯＦＦに切り換えられていることを判断する場合には、オゾン発生器４０はオゾンの発生を停止する。
【０１２０】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正と変形を含むものである。
【符号の説明】
【０１２１】
２０：流路切換部、３２：流路位置センサ、４０：オゾン発生器、４１：オゾン発生操作部、１００：浄水器、１０１：主通水路、１０２：オゾン水側流路、１０３：飲用水側流路、１１０：流路、１２１：流量センサ、１３１：制御部、１３２：スイッチ
【図１】
2012071260.tif 000003
【図２】
2012071260.tif 000004
【図３】
2012071260.tif 000005
【図４】
2012071260.tif 000006
【図５】
2012071260.tif 000007
【図６】
2012071260.tif 000008
【図７】
2012071260.tif 000009
【図８】
2012071260.tif 000010
【図９】
2012071260.tif 000011